(57)【要約】【課題】ダム貯水池に堆積する土砂を浚渫にて回収排出するには、ダムサイトの地理的条件や道路事情等により土砂の搬出が困難な地点が多く、費用も多大なものとなる。水位を低下させて掃流力で流下させるようにすると、水位を回復させるのに日数を要し、ダム貯水池機能に支障を来す。【解決手段】ダム貯水池２内の土砂堆積領域Ｂに、該貯水池２の河道の流路断面績を狭めて該河道の中央部側に流水を集める一対の堰手段２２を設ける。該一対の堰手段２２は河道中央部の両側に所定間隔をあけて配置するとともに、河道中央部に沿って適宜間隔をあけて多数配設する。貯水池内への流入速度が高い河川増水時の流水を、堰手段２２によってその速度を落とさないように利用して、水位を低下させることなく、貯水池２内の上流部に堆積した土砂をダム堤体６の排砂ゲート８から排出可能な領域まで流下させる。【選択図】      図１
2005030070.tif 000002
【特許請求の範囲】
【請求項１】
ダム貯水池内に流入して上流部に堆積した土砂を、流入速度が高まる河川増水時の流水を利用してダム堤体の排砂ゲートから排出可能な下流部の排出可能領域まで流下させるべく、該貯水池内の土砂堆積領域に設ける堆積土砂の流下促進用堰構造であって、
該貯水池の河道の流路断面績を狭めて該河道の中央部側に流水を集める一対の堰手段を、該河道中央部の両側に所定間隔をあけて配置するとともに、該一対の堰手段を河道中央部に沿って多段に配設したことを特徴とするダム貯水池における堆積土砂の流下促進用堰構造。
【請求項２】
前記一対の堰手段は、それぞれその河岸側の端部が該河岸から所定間隔を離間されて設けられていることを特徴とする請求項１記載のダム貯水池における堆積土砂の流下促進用堰構造。
【請求項３】
前記堰手段はその河岸側端が上流側に向けて所定角度傾斜されて配置されていることを特徴とする請求項１または２のいずれかに記載のダム貯水池における堆積土砂の流下促進用堰構造。
【請求項４】
前記堰手段の上端部の高さが、前記貯水池の常時満水位の近傍に設定されていることを特徴とする請求項１〜３のいずれかに記載のダム貯水池における堆積土砂の流下促進用堰構造。
【請求項５】
前記堰手段は、前記堆積土砂層を貫通して河床に下端を打ち込まれた杭が列設されて構成されていることを特徴とする請求項１〜４のいずれかに記載のダム貯水池における堆積土砂の流下促進構造。
【請求項６】
前記堰手段は、対面する河岸間に張設された係留ロープに吊下支持されたコンクリートパネルで構成されていることを特徴とする請求項１〜４のいずれかに記載のダム貯水池における堆積土砂の流下促進構造。
【請求項７】
前記コンクリートパネルは、前記係留ロープにフロートを介して吊下支持されていることを特徴とする請求項６に記載のダム貯水池における堆積土砂の流下促進用堰構造。
【請求項８】
ダム貯水池内に流入して上流部に堆積した土砂の堆積領域に、該貯水池の河道の流路断面績を狭めて該河道の中央部側に流水を集める一対の堰手段を、該河道中央部の両側に所定間隔をあけて配置するとともに、該一対の堰手段を河道中央部に沿って多段に配設し、該多段に配設した一対の堰手段によって河川増水時に高い流入速度で流入する流水を増速させつつダム堤体の排砂ゲートから排出可能な下流部の排出可能領域まで流下させて、該流水の掃流力で該土砂堆積領域の堆積土砂の流下を促進させることを特徴とするダム貯水池における堆積土砂の流下促進方法。
【発明の詳細な説明】
【０００１】
【発明の属する技術分野】
本発明は、ダム貯水池おける上流部に沈下堆積した土砂を、ダム堤体の排砂ゲート付近まで流下させて、当該排砂ゲートを通じて下流河道に排出供給できるようにした堆積土砂の流下促進用堰構造および流下促進方法に関する。
【０００２】
【背景技術】
発電用、灌漑用、洪水調整用等に供するダム貯水池が各地の河川に多数建設されているが、これらのダム貯水池にあっては、その建設からの年月を経る程に、上流から流下してくる土砂が河床に堆積していき、その増大する堆積土砂によって貯水容量が低下してしまうことを避け難い。
【０００３】
ここで、貯水池内に堆積する土砂は、洪水時などに増水して狭隘な上流側河川を高い流速で流下する流水に運ばれて濁流となって流入するが、当該流速の高い濁流は横幅の広い貯水池内に流入するとその流速が急激に低下するので、土砂はダム堤体の近傍までは運ばれ難く、その殆どが貯水池の上流部にて沈下堆積し、貯水池はその上流部から堆積土砂によって埋められていく。
【０００４】
一方、ダム堤体には一般に上記堆積土砂を下流河道に排出するための排砂ゲートが設けられいるのであるが、この排砂ゲートから排出することのできる堆積土砂は、ダム貯水池内のダム堤体に近接した下流部分に沈下堆積したものがせいぜいであり、上流部に沈下堆積している土砂は当該排砂ゲートから排出されずに残存されてしまうのが現状となっている。
【０００５】
そして、各河川の地盤環境等によって異なるものの、設計時の予想をはるかに上回る土砂の堆積が生じて現貯水容量が設計時の５０〜８０％までにも減少して、その貯水機能の著しい低下を来しているダム貯水池が全国に多々あるとの報告も数多く寄せられている。このため、この様なダム貯水池にあっては、その機能を回復するために堆積土砂の除去を行うことが急務となっている。
【０００６】
そこで、このような堆積土砂の排出を行うために、従来では、例えば、特開平５−５３１８号公報や特開２００１−２６２６１２号公報などに開示されているような、浚渫船や浚渫装置によって堆積土砂を回収して排出する方法、あるいは、貯水池の水位を低下させて掃流力によりダム堤体の排砂ゲート付近まで流下させる方法等が採用されていた。
【０００７】
【特許文献１】特開平５−５３１８号公報
【０００８】
【特許文献２】特開２００１−２６２６１２号公報
【０００９】
【発明が解決しようとする課題】
しかしながら、浚渫船や浚渫装置による排出方法では、ダムサイトの地理的条件や道路事情などにより、回収した土砂の搬出が困難である地点が多くあるという問題がある。また、浚渫による費用は嵩み、しかも定期的に繰り返して行わなければならないため、その整備費は多大なものとなってしまうという問題もある。
【００１０】
一方、水位を低下させて掃流力により流下させる方法では、その低下後に水位を回復させるのに日数を要し、ダム貯水池機能に支障を来してしまう場合があった。
【００１１】
本発明は、このような事情に鑑みてなされたものであり、その目的は、水位を低下させずに、貯水池内への流入速度が高い河川増水時の流水をその速度を落とさないように利用して、当該貯水池内の上流部に堆積した土砂を下流のダム堤体の排砂ゲートの近傍まで流下させることができる、ダム貯水池における堆積土砂の流下促進用堰構造及び流下促進方法を提供することにある。
【００１２】
【課題を解決するための手段】
本発明は上記の目的を達成するために、ダム貯水池における堆積土砂の流下促進用堰構造及び流下促進方法を以下のように構成する。
【００１３】
請求項１に係るダム貯水池における堆積土砂の流下促進用堰構造の発明は、ダム貯水池内に流入して上流部に堆積した土砂を、流入速度が高まる河川増水時の流水を利用してダム堤体の排砂ゲートから排出可能な下流部の排出可能領域まで流下させるべく、該貯水池内の土砂堆積領域に設ける堆積土砂の流下促進用堰構造であって、該貯水池の河道の流路断面績を狭めて該河道の中央部側に流水を集める一対の堰手段を、該河道中央部の両側に所定間隔をあけて配置するとともに、該一対の堰手段を河道中央部に沿って多段に配設したことを特徴とする。
【００１４】
請求項２に係るダム貯水池における堆積土砂の流下促進用堰構造の発明は、前記一対の堰手段は、それぞれその河岸側の端部が該河岸から所定間隔を離間されて設けられていることを特徴とする。
【００１５】
請求項３に係るダム貯水池における堆積土砂の流下促進用堰構造の発明は、前記堰手段はその河岸側端が上流側に向けて所定角度傾斜されて配置されていることを特徴とする。
【００１６】
請求項４に係る発明は、前記堰手段の上端部の高さが、前記貯水池の常時満水位の近傍に設定されていることを特徴とする。
【００１７】
請求項５に係るダム貯水池における堆積土砂の流下促進用堰構造の発明は、前記堰手段は、前記堆積土砂層を貫通して河床に下端を打ち込まれた杭が列設されて構成されていることを特徴とする。
【００１８】
請求項６に係るダム貯水池における堆積土砂の流下促進用堰構造の発明は、前記堰手段は、対面する河岸間に張設された係留ロープに吊下支持されたコンクリートパネルで構成されていることを特徴とする。
【００１９】
請求項７に係るダム貯水池における堆積土砂の流下促進用堰構造の発明は、前記コンクリートパネルは、前記係留ロープにフロートを介して吊下支持されていることを特徴とする。
【００２０】
請求項８に係るダム貯水池における堆積土砂の流下促進方法の発明は、ダム貯水池内に流入して上流部に堆積した土砂の堆積領域に、該貯水池の河道の流路断面績を狭めて該河道の中央部側に流水を集める一対の堰手段を、該河道中央部の両側に所定間隔をあけて配置するとともに、該一対の堰手段を河道中央部に沿って多段に配設し、該多段に配設した一対の堰手段によって河川増水時に高い流入速度で流入する流水を増速させつつダム堤体の排砂ゲートから排出可能な下流部の排出可能領域まで流下させて、該流水の掃流力で該土砂堆積領域の堆積土砂の流下を促進させることを特徴とする。
【００２１】
【発明の実施の形態】
以下に、本発明に係るダム貯水池における堆積土砂の流下促進用堰構造及び流下促進方法の好適な実施の形態について、添付図面に基づき詳述する。
【００２２】
《第１実施形態》
図１は本発明が実施されたダム貯水池の平面を示す概要図であり、図２はその河道に沿った縦断面を示す概要図、図３は図２中におけるα−α線矢視断面図である。図１，図２２に示すように、このダム貯水池２は、山間の河川４の両岸に迫る谷間に掛け渡して構築したダム堤体６によって当該河川４が堰き止められることで形成されており、ダム堤体６にはダム貯水池２内に流入して堆積する土砂を下流の河道に排出して供給する排砂ゲート８が設けられている。そして、この様なダム貯水池２には、これより上流の河川４から流下してくる土砂が当該貯水池２内の元河床４ａ上に沈下して堆積していき、建設後の年月を経るほどに堆積土砂層１０が厚く形成されていく。
【００２３】
この堆積土砂層１０は前述の背景技術の欄でも示したように、主に洪水時の濁流によって運ばれる土砂によって形成されるが、当該濁流は横幅の広がった貯水池２内に流入するとその速度が急激に低下するため、土砂は直ぐに沈下し始め、殆どダム堤体６近傍の下流部まで運ばれることなく、当該貯水池２の上流側に主に沈下してしまい、上記排砂管８による土砂の排出可能領域Ａよりも上流の排出不可能な領域に堆積土砂層１０が厚く形成されてしまう。
【００２４】
そこで、この様な厚い堆積土砂層１０の土砂を、増水した洪水時の流水を可及的に落とさないように利用して、その掃流力で下流の上記土砂排出可能領域Ａまで流下させるために、当該堆積土砂層１０が形成された土砂堆積領域（土砂排出不可領域）Ｂに、堆積土砂の流下促進用堰構造２０を設けている。
【００２５】
即ち、この流下促進用堰構造２０は、貯水池２の河道の流路断面績を狭めて当該河道の中央部側に流水を集める一対の堰手段２２が、当該河道に沿って上・下流方向に適宜間隔をあけて多数配設されて構成されている。これら各一対の堰手段２２は河道の中央部に互いに所定の間隔をあけて河道幅方向の両側に配設されており、それぞれの河道中央部寄りの端部２２ａは最も流速の早い河道中心の河芯４ｂを基準にして対称位置に配されている。また、一対の堰手段２２はそれぞれ河芯４ｂに対して直角に河岸４ｃ方向に延び、それぞれその河岸側の端部２２ｂは当該河岸４ｃから所定間隔をあけて離間された位置に設けられている。
【００２６】
図３に示すように、この実施の形態においては、各堰手段２２は多数の杭２４，２４，…が一列に列設されてなる。当該各杭２４，２４，…は、その下端２４ａが前記堆積土砂層１０を貫通して、その下の河床４ａに打ち込まれて設けられている。また、各杭２４，２４，…の上端部の高さは、貯水池２の常時満水位３０の近傍に設定されている。ここで、当該杭２４にはコンクリート杭あるいは鋼管杭を採用し得るが、腐食等の耐久性の面を考慮するとコンクリート杭を採用する方が好ましい。また、各堰手段２２を構成する多数の杭２４，２４，…は相互に密接配置しても良いし、あるいは若干離間させて配置しても良い。なお、当該図示例では若干離間させて配置してある。
次に、以上の様に構成された流下促進用堰構造２０の作用について述べる。
【００２７】
洪水時に増水した上流側河川から速度の高い大量の流水がダム貯水池２に流れ込んでくると、その流水は貯水池２内の河道に沿ってその両側に一対で多段に設けられている堰手段２２が抵抗となるので、これらの多数の堰手段２２をよけて下流に流れていくことになる。
【００２８】
ここで、各一対の堰手段２２の配設部を流水が通過する際には、当該堰手段２２が設けられていない河道中央部と両側部とにその多くが集まって、ここに集中的に流れることになるが、当然の事ながら、当該堰手段２２の配設部位は、その流路断面積が狭められているので、相対的に当該堰手段２２の配設部位を通過する流水の速度は高くなる。つまり、河道中央部と両側部との流速が大きくなる。
【００２９】
然も、各一対で多段に設けられる各部の堰手段２２はいずれも流水を河道中央部と両側部とに案内するから、横幅の大きく広がった貯水池２内にあっても、流水は当該貯水池２内をその上流部から下流部に至るまで、河道の中央部と両側部とに沿って速い速度を可及的に維持したまま流れ込むことになる。このため、当該河道中央部と両側部とを流れる流水は、上流から運び込んだ新たな土砂と共に、貯水池２内の元河床４ａ上に堆積している土砂をも抉って流下させる掃流力を、堆積土砂層１０が形成された土砂堆積領域（土砂排出不可領域）Ｂよりもさらに下流まで失わずに流れ込むようになる。これ故、当該河道中央部と両側部との元河床４ａ上に堆積した土砂は、ダム堤体６の排砂ゲート８による土砂排出可能領域Ａまで運ばれることになる。そして、当該土砂排出可能領域Ａまで運ばれた土砂は必要に応じて、洪水後などに逐次に排砂ゲート８から下流の河川４の河道に排出供給される。
【００３０】
また、河道中央部の流速はもともと本来的に最も高く、しかも一対の堰手段によってさらに増速されるから、河道両側部を流れる流水は各段の堰手段２２を通過する毎にその一部が中央部へと流れていくことになる。このため、この河道中央部へと流れる流水によって、河道両側部と中央部との間に堆積した土砂が抉られた中央部へと流下されて、ダム堤体６の排砂ゲート８による土砂排出可能領域Ａまで運ばれることになる。
【００３１】
一方、大量の流水が貯水池２内に流入してくるに連れて、貯水池２の水位は上昇し、常時満水位３０からサーチャージ水位３２まで徐々に上昇していく。これ故、流水が堰手段２２の上を越えて流れるようになると、堆積土砂層１０の上側を通過する流水の速度は落ち始めて上記掃流力は徐々に低下していくが、暫くの間は堆積土砂層１０の土砂を抉って流下させる程の掃流力は維持される。
【００３２】
ここで、当該掃流力の低下を防ぐには、堰手段２２の各杭２４の上端部の高さをサーチャージ水位３２近辺まで近づけて設定すれば良い。但し、このようにすると杭２４に加わる流動水圧とこれによる曲げモーメントはかなり大きなものとなるから、これに耐えさせるために各杭２４は大型化して、その設置費用が高く付くことになる。即ち、杭２４高さを常時満水位程度に止めれば、堰手段の設計耐力を可及的に下げてその設置費用を低く抑えることができる。よって、杭２４の高さは設置対象となるダム貯水池２に流れ込む河川等の諸条件に応じて、対費用効果の面から決定すればよい。また、杭２４を列設して堰手段２２を構成することにより、高強度で耐力に優れた堰手段を容易に構築できる。
【００３３】
また、貯水池２の水位を低下させることなく、洪水時における速度の高い流水の掃流力を利用して堆積土砂を流下させることができるので、貯水池２の機能に支障を来すことがないばかりか、堰手段２２の設置後には恒久的にこれを機能させて、洪水の度毎に堆積土砂の排出を行わせることができて、その設置後の土砂の堆積を防止することができる。
【００３４】
また、上記図示した第１実施例の説明では、各堰手段２２は河芯４ｂに対して直角となして河岸４ｃ方向に向けて延設させるようにしているが、その河岸側の端部２２ｂを上流側に位置させて、一対の堰手段２２を上流側が開くハの字状に配置するようにしても良い（図示は省略する）。この様にすることで、更に多くの流水を中央部に向けて集中的に流せるようになるので、河道中央部の掃流力をより一層高めることができるようになる。
【００３５】
《第２実施形態》
図４は本発明の第２実施形態を示すものであり、堰手段にコンクリートパネルが用いられた第２実施形態を示す図３に相当する図である。なお、図１の概要図は本第２実施形態にも共通するものであり、図４においては、第１実施形態と同一の部材及び部分には同一の符合を付してその説明は省略する。
【００３６】
この第２実施形態では、図４に示すように、堰手段２２がフローチング方式とされている。即ち、河道中央部の両側に設けられる一対の堰手段２２は対面する河岸４ｃ，４ｃ間に張設された係留ロープ４０に吊下支持されたそれぞれ２枚のコンクリートパネル４２で構成されている。そして、図示するこの実施形態では、各コンクリートパネル４２は、係留ロープ４０にフロート４４を介して吊下支持されて、水面下に水没している。また、係留ロープ４０は両河岸４ｃの岩盤にそれぞれ埋設固定したコンクリートブロック４６に両端を係止されて、常時満水位３０の水面上を横断している。
【００３７】
そして、この第２実施形態のフローチング方式の場合にあっても、前記第１実施形態と同様に、洪水時に増水した上流側河川から速度の高い大量の流水がダム貯水池２に流れ込んでくると、その流水は貯水池２内の河道に沿ってその両側に一対で多段に設けられている堰手段２２が抵抗となるので、これらの多数の堰手段２２をよけて下流に流れていく。即ち、当該貯水池２内をその上流部から下流部に至るまで、河道の中央部と両側部とに沿って集中的に速い速度を可及的に維持したまま流れ込んで、当該河道中央部と両側部との元河床４ａ上に堆積した土砂を、ダム堤体６の排砂ゲート８による土砂排出可能領域Ａまで流下させて運ぶことになる。
【００３８】
ここで、この第２実施形態の場合には、コンクリートパネル４２はその上端部がフロート４４を介して係留ロープ４０に吊下支持されているから、流水の流動圧が上流面に加わると、下端が下流方向に押されてフラップの如く傾くことになる。すると、この傾いたコンクリートパネル４２は流水を下方に案内する案内板の機能を発揮するようになる。このため、流水の一部は当該コンクリートパネル４２の下方を潜って増速されながら流れていき、その際に下方の堆積土砂層１０の土砂を抉って流下させることになる。
【００３９】
また、係留ロープ４０にコンクリートパネル４２を係止する際には、予め当該コンクリートパネル４２をフロート４４で浮かした状態で行うことができ、もってコンクリートパネル４２の取付作業を極めて簡易に行えるようになる。
【００４０】
即ち、前記第１実施形態および第２実施形態のような堆積土砂の流下促進方法によれば、そのいずれにあっても、ダム貯水池２内に流入して上流部に堆積した土砂の堆積領域Ｂに、貯水池２の河道の流路断面績を狭めて当該河道の中央部側に流水を集める一対の堰手段２２を、予めその河道中央部の両側に所定間隔をあけて配置し、かつそれら一対の堰手段２２は河道中央部に沿って多段に配設しておくことで、河川増水時に高い流入速度で流入する流水を、その多段に配設した一対の堰手段２２部位を通過する毎に増速させて、ダム堤体６の排砂ゲート８近傍まで高い速度で流れ込むようになり、もって当該流水の掃流力で土砂堆積領域Ｂの堆積土砂をダム堤体６の排砂ゲート８から排出可能な下流部の排出可能領域Ａまで流下させることができ、洪水などの河川増水が発生する都度に、新たな流入土砂と共に堆積土砂の流下を促進することができる。また、一度設置すれば恒久的に機能させることができて、特に浚渫する必要もないので、整備費用の可及的な低減化が図れるばかりか、掃流力を得るために水位を低下させる必要もないので、ダム貯水池２としての機能に支障を来す虞がない。
【００４１】
【発明の効果】
請求項１に係るダム貯水池における堆積土砂の流下促進用堰構造の発明によれば、土砂堆積領域に貯水池の河道の流路断面績を狭めて該河道の中央部側に流水を集める一対の堰手段を、河道中央部の両側に所定間隔をあけて配置するとともに、その一対の堰手段を河道中央部に沿って多段に配設したので、洪水時に増水した上流側河川から速度の高い大量の流水がダム貯水池２に流れ込んできたときに、当該流水を河道中央部に集めてその流速を可及的に低下させずに、その上流部から下流部に至るまで、河道の中央部に沿って速い速度を可及的に維持したまま流すことができる。このため、当該河道中央部の元河床上に堆積している土砂を抉って流下させる掃流力を、堆積土砂層が形成された土砂堆積領域（土砂排出不可領域）よりもさらに下流まで失わせずに流れ込ませることができるようになり、当該河道中央部の元河床上に堆積した土砂を、ダム堤体の排砂ゲートによる土砂排出可能領域まで流下させて運ぶことができる。そして、当該土砂排出可能領域まで運ばれた土砂は必要に応じて、洪水後などに逐次に排砂ゲートから下流の河川の河道に排出供給することができる。
【００４２】
また、貯水池の水位を低下させることなく、洪水時における速度の高い流水の掃流力を利用して堆積土砂を流下させることができるので、貯水池の機能に支障を来すことがないばかりか、堰手段の設置後には恒久的にこれを機能させて、洪水の度毎に堆積土砂の排出を行わせることができて、土砂の堆積を防止することができる。
【００４３】
請求項２に係るダム貯水池における堆積土砂の流下促進用堰構造の発明によれば、一対の堰手段は、それぞれその河岸側の端部が該河岸から所定間隔を離間されて設けられているので、当該河道両側部にそって高い流速で流水を流すことができ、上記中央部と同様に、河道両側部の堆積土砂をダム堤体の排砂ゲートによる土砂排出可能領域まで流下させて運ぶことができる。また、河道中央部の流速はもともと本来的に最も高く、しかも一対の堰手段によってさらに増速されるから、河道両側部を流れる流水は各段の堰手段を通過する毎にその一部が中央部へと流れていくことになり、この河道中央部へと流れる流水によって、河道両側部と中央部との間に堆積した土砂が中央部へと流下されて、ダム堤体の排砂ゲートによる土砂排出可能領域まで運ばれることになる。
【００４４】
請求項３に係るダム貯水池における堆積土砂の流下促進用堰構造の発明によれば、堰手段の河岸側端を上流側に向けて所定角度傾斜させて配置するので、より多くの流水を中央部に向けて集中的に流せるようになり、河道中央部の掃流力をより一層高めることができる。
【００４５】
請求項４に係るダム貯水池における堆積土砂の流下促進用堰構造の発明によれば、堰手段の上端部の高さを、貯水池の常時満水位の近傍に設定しているので、常時満水位を越えて増水した流水の流動圧を受けることがなく、もって堰手段の設計耐力を可及的に下げてその施工費用の低減化が図れる。
【００４６】
請求項５に係るダム貯水池における堆積土砂の流下促進用堰構造の発明によれば、堆積土砂層を貫通して河床に下端が打ち込まれた杭を列設して堰手段を構成するので、高強度で耐力に優れた堰手段を容易に構築できる。
【００４７】
請求項６に係るダム貯水池における堆積土砂の流下促進用堰構造の発明によれば、コンクリートパネルに流水の流動圧が加わると、下端が下流方向に押されてフラップの如く傾いて流水を下方に案内する案内板の機能を発揮し、流水は当該コンクリートパネルの下方を潜って増速されながら流れるようになり、もってその際に、下方の堆積土砂層の土砂を抉って流下させることができる。また、コンクリートパネルは対面する河岸間に張設した係留ロープに吊下支持させるので、貯水池内の河床に対する施工作業を可及的に無くすことができてその施工性に優れる。
【００４８】
請求項７に係るダム貯水池における堆積土砂の流下促進用堰構造の発明によれば、コンクリートパネルを、前記係留ロープにフロートを介して吊下支持させているので、係留ロープに係止する際に、フロートで浮かした状態で行うことができ、コンクリートパネルの取付作業を極めて簡易に行えるようになる。
【００４９】
請求項８に係るダム貯水池における堆積土砂の流下促進方法の発明によれば、ダム貯水池内に流入して上流部に堆積した土砂の堆積領域に、該貯水池の河道の流路断面績を狭めて該河道の中央部側に流水を集める一対の堰手段を、該河道中央部の両側に所定間隔をあけて配置するとともに、該一対の堰手段を河道中央部に沿って多段に配設しておくことにより、河川増水時に高い流入速度で流入する流水は、該多段に配設した一対の堰手段部位を通過する毎に増速されて、ダム堤体の排砂ゲート近傍まで高い速度で流れ込むようになり、もって該流水の掃流力で該土砂堆積領域の堆積土砂をダム堤体の排砂ゲートから排出可能な下流部の排出可能領域まで流下させることができ、洪水などの河川増水が発生する都度に、新たな流入土砂と共に堆積土砂の流下を促進することができる。また、堰手段を多段に、一度設置すれば恒久的に機能させることができて、特に浚渫する必要もないので、整備費用の可及的な低減化が図れるばかりか、掃流力を得るために水位を低下させる必要もないので、ダム貯水池としての機能に支障を来す虞がない。
【図面の簡単な説明】
【図１】本発明が実施されたダム貯水池の平面を示す概要図である。
【図２】堰手段に杭が用いられた本発明の第１実施形態を示すもので、ダム貯水池の河道中央部に沿った縦断面の概要図である。
【図３】図２中におけるα−α線矢視部の断面図である。
【図４】図３に相当する堰手段にコンクリートパネルが用いられた第２実施形態を示す図である。
【符号の説明】
２      ダム貯水池内                ４      河川
４ａ    河床                        ４ｃ    河岸
６      ダム堤体                    ８      排砂ゲート
１０    堆積土砂層                  ２０    流下促進用堰構造
２２    堰手段
２２ａ  稼働中央側端部              ２２ｂ  河岸側端部
２４    杭                          ２４ａ  下端部
３０    常時満水位                  ４０    係留ロープ
４２    コンクリートパネル          ４４    フロート
Ａ      土砂排出可能領域            Ｂ      土砂堆積領域
【図１】
2005030070.tif 000003
【図２】
2005030070.tif 000004
【図３】
2005030070.tif 000005
【図４】
2005030070.tif 000006